(57)【要約】【課題】  通信装置と監視センターとの通信チェックを簡易にできるエレベーターの通信システムを得ること。【解決手段】  データの未送信を検出して検出信号を発生する検出器２２と、検出信号に基づいて信号発生器２８の出力に接続される第１スイッチ２１ａを有し、検出信号により通信装置２０側でブロードバンド回線４３を開放する第１常開スイッチ２１ｂと、検出信号に基づいて監視センター５０側でブロードバンド回線４３と電話回線４０とを接続する第２常開スイッチ５２ａを有し、検出信号に基づいて監視センター５０側でデータの取り込みを中断する第２常閉スイッチ５２ｂと、検出信号により第１スイッチ２１ａ、第１,第２常開スイッチ２１ｂ、５２ａ、第２常閉スイッチ５２ｂの動作により第１信号が電話回線４０とブロードバンド回線４３とを通過して通信装置２０に戻った第２信号とを比較する比較器２６とを備えたものである。【選択図】      図１
2007153565.tif 000002
【特許請求の範囲】
【請求項１】
エレベーター設備に関する信号、データなどの採取データを通信装置と監視センターとの間を、非常時に電話回線で結び、通常時にブロードバンド回線で通信を行うエレベーターの通信システムにおいて、
所定の第１信号を発生する信号発生手段と、
前記採取データが送信されていないことを検出して検出信号を発生する検出手段と、
該検出信号に基づいて前記信号発生手段の出力を前記採取データの代わりに送信するために接続されると共に、該検出信号に基づいて前記通信装置側で前記ブロードバンド回線を開放する第１切換えスイッチ手段と、
該検出信号に基づいて前記監視センター側で前記ブロードバンド回線と前記電話回線とを接続すると共に、該検出信号に基づいて前記監視センター側で前記採取データの取り込みを中断する第２切換えスイッチ手段と、
該検出信号に基づいて前記第１及び第２切換えスイッチ手段の動作により前記通信装置から発生した前記第１信号が前記電話回線と前記ブロードバンド回線とを通過して前記通信装置に戻った第２信号と，前記第１信号とを比較する比較手段と、
を備えたことを特徴とするエレベーターの通信システム。
【請求項２】
エレベーター設備に関する信号、データなどの採取データを通信装置と監視センターとの間を、非常時に電話回線で結び、通常時にブロードバンド回線で通信を行うエレベーターの通信システムにおいて、
前記通信がされていないことを検出する第１ステップと、
該第１ステップにて前記通信がされていないことを検出することにより試験用の第１信号を前記採取データの代わりに送信することを可能にすると共に、前記通信装置側で前記ブロードバンド回線を開放する第２ステップと、
該第１ステップにて前記通信がされていないことを検出することにより前記監視センター側で前記ブロードバンド回線と前記電話回線とを接続すると共に、前記監視センター側で前記採取データの取り込みを中断する第３ステップと、
前記第１信号を前記通信装置側から発生する第４ステップと、
前記第１信号が前記電話回線と前記ブロードバンド回線とを通過して前記通信装置に戻った第２信号と，前記第１信号とを比較する第５ステップと、
を備えたことを特徴とするエレベーターの通信システムの試験方法。
【発明の詳細な説明】
【技術分野】
【０００１】
本発明は、エレベーターの通信システム及びその試験方法に関するものである。
【背景技術】
【０００２】
従来の通信システムは、下記特許文献１に記載のように、種々のセンサによって異常を検知したときに所定の箇所に通報を行う非常通報装置において、有線電話回線と無線電話回線を備え、断線等によって有線電話回線が使用できない場合には無線電話回線により通報を行うものである。
【０００３】
かかる通信システムによれば、有線電話回線が断線したり、ショートしたり場合にも無線電話回線を用いてセンター装置に対して通報を行うことができる。
【特許文献１】特開平１０−２６１１８２号公報
【発明の開示】
【発明が解決しようとする課題】
【０００４】
上記通信システムのように二回線で通信が行なわれており、これをエレベーターの通信システムに応用したエレベーター用通信システムは、エレベーター設備に関するデータを通信装置と監視センターとの間を非常時に電話回線で結び、通常時にブロードバンド回線で相互通信を成すものがある。
しかしながら、上記エレベーター用通信システムにおいて、各通信回線のチェックを行なうには、各通信回線毎にチェックを行っていた。このため、通信回線のチェックが煩雑であるという課題があった。
【０００５】
本発明は上記課題を解消するためになされたもので、エレベーターの通信装置と監視センターとの通信チェックを簡易にできるエレベーターの通信システム及びその試験方法を提供することを目的とする。
【課題を解決するための手段】
【０００６】
第１の発明に係るエレベーターの通信システムは、エレベーター設備に関する信号、データなどの採取データを通信装置と監視センターとの間を、非常時に電話回線で結び、通常時にブロードバンド回線で通信を行うエレベーターの通信システムにおいて、所定の第１信号を発生する信号発生手段と、前記採取データが送信されていないことを検出して検出信号を発生する検出手段と、該検出信号に基づいて前記信号発生手段の出力を前記採取データの代わりに送信するために接続されると共に、該検出信号に基づいて前記通信装置側で前記ブロードバンド回線を開放する第１切換えスイッチ手段と、該検出信号に基づいて前記監視センター側で前記ブロードバンド回線と前記電話回線とを接続すると共に、該検出信号に基づいて前記監視センター側で前記採取データの取り込みを中断する第２切換えスイッチ手段と、該検出信号に基づいて前記第１及び第２切換えスイッチ手段の動作により前記通信装置から発生した前記第１信号が前記電話回線と前記ブロードバンド回線とを通過して前記通信装置に戻った第２信号と，前記第１信号とを比較する比較手段と、を備えたことを特徴とするものである。
【０００７】
第２の発明に係るエレベーターの通信システムの試験方法は、エレベーター設備に関する信号、データなどの採取データを通信装置と監視センターとの間を、非常時に電話回線で結び、通常時にブロードバンド回線で通信を行うエレベーターの通信システムにおいて、前記通信がされていないことを検出する第１ステップと、該第１ステップにて前記通信がされていないことを検出することにより試験用の第１信号を前記採取データの代わりに送信することを可能にすると共に、前記通信装置側で前記ブロードバンド回線を開放する第２ステップと、該第１ステップにて前記通信がされていないことを検出することにより前記監視センター側で前記ブロードバンド回線と前記電話回線とを接続すると共に、前記監視センター側で前記採取データの取り込みを中断する第３ステップと、前記第１信号を前記通信装置側から発生する第４ステップと、前記第１信号が前記電話回線と前記ブロードバンド回線とを通過して前記通信装置に戻った第２信号と，前記第１信号とを比較する第５ステップと、を備えたことを特徴とするものである。
【発明の効果】
【０００８】
第１発明によれば、比較手段は検出信号に基づいて第１及び第２スイッチ手段の動作により通信装置から発生した第１信号が電話回線とブロードバンド回線とを通過して通信装置に戻った第２信号とを比較し、電話回線とブロードバンド回線との異常の有無を判定する。したがって、エレベーターの通信装置と監視センターとの電話回線とブロードバンド回線との通信チェックを一度に簡易にできるという効果がある。
【０００９】
第２の発明によれば、第４ステップでは第１信号を通信装置側から発生し、第５ステップでは、第１信号が電話回線とブロードバンド回線とを通過して通信装置に戻った第２信号と，第１信号とを比較する。これにより、電話回線とブロードバンド回線との異常の有無を判定する。したがって、エレベーターの通信装置と監視センターとの電話回線とブロードバンド回線との通信チェックを一度に簡易にできるという効果がある。
【発明を実施するための最良の形態】
【００１０】
実施の形態１．
本発明の一実施の形態を図１によって説明する。図１は本発明の一実施の形態を示すエレベーターの通信システムの全体図である。
図１において、エレベーターは、かご３にロープ６の一端が固定され、ロープ６が巻上機の綱車５に掛けられ、ロープ６の他端が釣合い錘７に固定されている。巻上機の綱車５がモータ８により駆動され、モータ８が制御盤９により制御されるように形成されている。
【００１１】
エレベーターの通信システムは、制御盤９の信号、データが入力される通信装置２０と、通信装置２０から遠方に設けられた監視センター５０とが設けられており、通信装置２０と監視センター５０とを非常時に電話回線４０で結び、通常時にブロードバンド回線４３で通信されるように形成されている。
【００１２】
通信装置２０には、制御盤９からの信号、データが送られたことを検出する検出手段としての検出器２２と、通常時には、ｂ端子側に投入され、試験時には、ａ端子側に投入されると共に、網制御部としての第１ＮＣＵ３３に接続された第１スイッチ２１ａと、第１スイッチ２１ａのａ端子に接続され、第１信号を発生する信号発生手段としての信号発生器２８と、第１スイッチ２１ａのｂ端子に接続されると共に、第１スイッチ２１ａがａ側に投入されている時に開放し、第１スイッチ２１ａがｂ側に投入されている時に閉成する第１常閉スイッチ２１ｂを介して接続された比較手段としての比較器２６と、比較器２６と第１常閉スイッチ２１ｂの一端とに接続された第１ＬＡＮＩ／Ｆ３１とを有している。
なお、第１スイッチ２１ａと第１常閉スイッチ２１ｂとにより第1切換えスイッチ手段を成している。
【００１３】
監視センター５０には、通信装置２０の第１ＮＣＵ３３に一端が接続された電話回線４０の他端に接続された網制御部としての第２ＮＣＵ５１と、通信装置２０の第１ＬＡＮＩ／Ｆ３１に一端が接続されたブロードバンド回線４３の他端に接続された第２ＬＡＮＩ／Ｆ５９とを有している。
第２ＮＣＵ５１の出力には信号を送受する第１送受信部５６接続され、第２ＬＡＮＩ／Ｆ５９の出力には信号を送受する第２送受信部５８が接続されている。第１送受信部５６と第２送受信部５８とを電気的に開閉する第２常開スイッチ５２ａが設けられ、第２常開スイッチ５２ａとインターロックが取られた第２常閉スイッチ５２ｂを介して制御盤９の信号、データを収集するデータ収集部６０に接続されている。第２常開スイッチ５２ａが開放していると、第２常閉スイッチ５２ｂが閉成し、第２常開スイッチ５２ａが閉成していると、第２常閉スイッチ５２ｂが開放するように形成されている。なお、第２常開スイッチ５２ａと第２常閉スイッチ５２ｂとにより第２切換えスイッチ手段を成している。
【００１４】
上記のように構成されたエレベーターの通信システムの試験方法を図１及び図２によって説明する。図２は図１に示すエレベーターの通信システムにおける試験時の動作を示すフローチャートである。
通信装置２０の検出器２２は、制御盤９から信号、データが送られてくるか否かを検出し(ステップＳ１０１)、送られていないと判断すると、通信装置２０は予め定められたタイミングか否かを判断し(ステップＳ１０３)、所定のタイミングであれば、第１スイッチ２１ａをａ側に投入し、第１常閉スイッチ２１ｂを開放し(ステップＳ１０５)、第２常開スイッチ５２ａを閉成すると共に、第２常閉スイッチ５２ｂを開放する(ステップＳ１０７)。
【００１５】
信号発生器２８から試験用のデジタルの第１信号を発生し(ステップＳ１０９)、該第１信号は第１ＮＣＵ３３、電話回線４０、第２ＮＣＵ５１、第１送受信部５６、第２常開スイッチ５２ａ、第２送受信部５８、第２常開スイッチ５２ａ、第２ＬＡＮＩ／Ｆ５９、ブロードバンド回線４３、第１ＬＡＮＩ／Ｆ３１を介してデジタルの第２信号として比較器２６に入力される。比較器２６は、第１信号と第２信号とが同一か否かを比較する(ステップＳ１１１)。
【００１６】
同一であれば、比較器２６は第１信号と第２信号とが同一か否かにより正常か否かを判断し(ステップＳ１１３)、正常であれば正常信号を発生して第１スイッチ２１ａをｂ側に投入し、第１常閉スイッチ２１ｂを閉成し、第２常開スイッチ５２ａを開放し、第２常閉スイッチ５２ｂを閉成する(ステップＳ１１５)。
【００１７】
一方、ステップＳ１１３において比較器２６は第１信号と第２信号とが不同一であれば、第１スイッチ２１ａをａ側に投入し、第１常閉スイッチ２１ｂを開放し、信号発生器２８から試験用のデジタルの第１信号を発生し、該第１信号は第１ＮＣＵ３３、電話回線４０、第２ＮＣＵ５１、第１送受信部５６に送信される。第１送受信部５６は、予め定められた基準信号(第１信号と同一)と受信信号とを比較し、同一か否かを判断し(ステップＳ１１７)、不同一であれば、電話回線４０の異常と判断し(ステップＳ１１９)、試験を終了する。
【００１８】
一方、ステップＳ１１７において不同一であれば、ブロードバンド回線の異常と判断し(ステップＳ１２１)、試験を終了する。
【００１９】
上記実施形態のエレベーターの通信システムは、エレベーター設備に関する信号、データなどの採取データを通信装置２０と監視センター５０との間を、非常時に電話回線４０で結び、通常時にブロードバンド回線４３で通信を行うエレベーターの通信システムにおいて、所定の第１信号を発生する信号発生器２８と、採取データが送信されていないことを検出して検出信号を発生する検出器２２と、該検出信号に基づいて信号発生器２８の出力を採取データの代わりに送信するために接続される第１スイッチ２１ａを有すると共に、該検出信号に基づいて通信装置２０側でブロードバンド回線４３を開放すると第１常開スイッチ２１ｂと、検出信号に基づいて監視センター５０側でブロードバンド回線４３と電話回線４０とを接続すると第２常開スイッチ５２ａを有すると共に、検出信号に基づいて監視センター５０側で採取データの取り込みを中断する第２常閉スイッチ５２ｂと、検出信号に基づいて第１スイッチ２１ａ、第１常開スイッチ２１ｂ、第２常開スイッチ５２ａ、第２常閉スイッチ５２ｂの動作により通信装置２０から発生した第１信号が電話回線４０とブロードバンド回線４３とを通過して通信装置２０に戻った第２信号とを比較する比較器２６とを備えたものである。
【００２０】
上記実施形態のエレベーターの通信システムによれば、比較器２６は検出信号に基づいて第１スィッチ２１ａなどの動作により通信装置２０から発生した第１信号が電話回線４０とブロードバンド回線４３とを通過して通信装置２０に戻った第２信号とを比較し、電話回線４０とブロードバンド回線４３との異常の有無を判定する。したがって、エレベーターの通信装置２０と監視センター５０との電話回線４０とブロードバンド回線４３との通信チェックを一度に簡易にできるという効果がある。
【産業上の利用可能性】
【００２１】
本発明は、エレベーターの通信システムに適用できる。
【図面の簡単な説明】
【００２２】
【図１】本発明の一実施の形態を示すエレベーターの通信システムの全体図である。
【図２】図１に示すエレベーターの通信システムにおける試験時の動作を示すフローチャートである。
【符号の説明】
【００２３】
９  制御盤、２０  通信装置、２１ａ  第１スイッチ、２１ｂ  第１常閉スイッチ、２３  検出器、２６  比較器、２８  信号発生器、４０  電話回線、４３  ブロードバンド回線、５０  監視センター、５２ａ  第２常開スイッチ、５２ｂ  第２常閉スイッチ。
【図１】
2007153565.tif 000003
【図２】
2007153565.tif 000004